(57)【要約】  コンテンツプロバイダによって定義された使用許可及び／または制約を保存しながら、デジタルメディアコンテンツを遠隔受信デバイスへ配信するのを効率的に制御するシステム。本発明の配信制御方法は、デバイスに配信されるデジタルメディア内のコアコンテンツと共に、簡易化ＵＲＩ（ウェブサイトＵＲＬのような）を含む。デバイスは、そのデバイスがコアコンテンツの規則及び／または制約を遵守しているか否かを決定するために、許可ウェブサイトにアクセスすることができる。もしデバイスが遵守していれば、それはコンテンツにアクセスすることができる。もしデバイスが遵守試験に失敗すれば、デバイスをコンテンツにアクセスできるようにする機能を、エンドユーザに提供することができる。
2009503714.tif 000002
【特許請求の範囲】
【請求項１】
デバイスにおけるデジタルメディア使用を制御する方法であって、
デジタルメディアをＵＲＩ情報に関連付けるステップと、
デバイスにおいて、上記デジタルメディアを、電子伝送を介して受信するステップと、
上記ＵＲＩ情報を使用して許可ウェブサイトと通信するステップと、
上記許可ウェブサイト上の上記デジタルメディアに関連する規則及び／または制約情報にアクセスするステップと、
もし上記デバイスが上記規則及び／または制約情報を遵守する状態にあれば、上記デジタルメディアへのアクセスを許可するステップと、
を含むことを特徴とする方法。
【請求項２】
上記デバイスは、上記デジタルメディアを、以前にそのデジタルメディアを受信して格納した別のデバイスから、電子伝送を介して受信することを特徴とする請求項１に記載の方法。
【請求項３】
上記ＵＲＩ情報は配信ソースから到来する全てのコンテンツに関して同一であり、上記配信ソースは少なくとも放送サービスを含むことを特徴とする請求項１に記載の方法。
【請求項４】
上記ＵＲＩ情報は、特定コンテンツのための識別子を含むことを特徴とする請求項１に記載の方法。
【請求項５】
上記デバイスは、上記デジタルメディアを、ワイヤードネットワークを介して受信することを特徴とする請求項１に記載の方法。
【請求項６】
上記デバイスは、上記デジタルメディアを、ワイヤレス通信を介して受信することを特徴とする請求項１に記載の方法。
【請求項７】
上記デジタルメディアは、一般放送の一部として受信されることを特徴とする請求項１に記載の方法。
【請求項８】
上記デジタルメディアは、上記デバイスからの要求に応答して受信されることを特徴とする請求項１に記載の方法。
【請求項９】
上記デジタルメディアまたは上記許可ウェブサイトの少なくとも一方は、暗号化されていることを特徴とする請求項１に記載の方法。
【請求項１０】
上記デジタルメディアまたは上記許可ウェブサイトの少なくとも一方は、認証キーを含むことを特徴とする請求項１に記載の方法。
【請求項１１】
上記認証キーは、上記デジタルメディアを含む放送を通して上記デバイスに配信されることを特徴とする請求項１０に記載の方法。
【請求項１２】
上記許可ウェブサイト上に格納されている情報はデジタル署名を用いて保護されており、それに関連付けられている何等かのメタデータを含む上記デジタルメディア、または上記デバイスの少なくとも一方は認証キーを含むことを特徴とする請求項１に記載の方法。
【請求項１３】
上記規則及び／または制約情報は、上記デジタルメディアの使用を制限する地理的制約、時間的制約、識別制約、またはコピー制約の少なくとも１つを含むことを特徴とする請求項１に記載の方法。
【請求項１４】
上記地理的制約は種々の異なるフォーマットで上記許可ウェブサイト上に格納されており、全地球測位システム（ＧＰＳ）情報、無線位置情報、セルラー位置情報、ネットワーク位置情報、電話領域コード情報、国別コード情報、及び郵便番号情報の少なくとも１つを含むことを特徴とする請求項１３に記載の方法。
【請求項１５】
上記デバイスは、上記許可ウェブサイトにアクセスする時に好ましいフォーマットを指示することによって、種々の異なるフォーマットから上記地理的制約のフォーマットを選択することを特徴とする請求項１３に記載の方法。
【請求項１６】
上記許可ウェブサイト上の規則及び／または制約情報は、時間と共に変化することを特徴とする請求項１に記載の方法。
【請求項１７】
上記規則及び／または制約情報は、上記デジタルメディアの配信ソースによって上記許可ウェブサイト上に構成されていることを特徴とする請求項１に記載の方法。
【請求項１８】
付加的な規則及び／または制約情報を、中間パーティによって上記許可ウェブサイト上に構成できることを特徴とする請求項１７に記載の方法。
【請求項１９】
上記デバイスが上記規則及び／または制約情報を遵守する状態にあるか否かに関する決定を、上記デバイスによって行うことを特徴とする請求項１に記載の方法。
【請求項２０】
上記デバイスが上記規則及び／または制約情報を遵守する状態にあるか否かに関する決定を、上記許可ウェブサイトによって行うことを特徴とする請求項１に記載の方法。
【請求項２１】
上記デバイスが上記規則及び／または制約情報を遵守する状態にない時に、上記デバイスを遵守状態に置く動作を遂行させるオプションを上記デバイスのユーザに提供するステップ、
を更に含むことを特徴とする請求項１に記載の方法。
【請求項２２】
デジタルメディアにアクセスすることができるデバイスであって、
ＵＲＩ情報と関連付けられているデジタルメディアを、電子伝送を介して受信する受信ロジックと、
上記デジタルメディアに関連する規則及び／または制約情報を検索するために、上記ＵＲＩ情報を使用して許可ウェブサイトにアクセスする通信ロジックと、
もし上記デバイスが上記規則及び／または制約情報を遵守する状態にあれば、上記デジタルメディアへのアクセスを許可する制御ロジックと、
を含むことを特徴とするデバイス。
【請求項２３】
上記デバイスは、上記デジタルメディアを、以前にそのディジタルメディアを受信して格納した別のデバイスから、電子伝送を介して受信することを特徴とする請求項２２に記載のデバイス。
【請求項２４】
上記ＵＲＩ情報は配信ソースから到来する全てのコンテンツに関して同一であり、上記配信ソースは少なくとも放送サービスを含むことを特徴とする請求項２２に記載のデバイス。
【請求項２５】
上記ＵＲＩ情報は、特定コンテンツのための識別子を含むことを特徴とする請求項２２に記載のデバイス。
【請求項２６】
上記デバイスは、上記デジタルメディアを、ワイヤードネットワークを介して受信することを特徴とする請求項２２に記載のデバイス。
【請求項２７】
上記デバイスは、上記デジタルメディアを、ワイヤレス通信を介して受信することを特徴とする請求項２２に記載のデバイス。
【請求項２８】
上記デジタルメディアは、一般放送の一部として受信されることを特徴とする請求項２２に記載のデバイス。
【請求項２９】
上記デジタルメディアは、上記デバイスからの要求に応答して受信されることを特徴とする請求項２２に記載のデバイス。
【請求項３０】
上記デジタルメディアまたは上記許可ウェブサイトの少なくとも一方は、暗号化されていることを特徴とする請求項２２に記載のデバイス。
【請求項３１】
上記デジタルメディアまたは上記許可ウェブサイトの少なくとも一方は、認証キーを含むことを特徴とする請求項２２に記載のデバイス。
【請求項３２】
上記認証キーは、上記デジタルメディアを含む放送を通して上記デバイスに配信されることを特徴とする請求項３１に記載のデバイス。
【請求項３３】
上記許可ウェブサイト上に格納されている情報はデジタル署名を用いて保護されており、それに関連付けられている何等かのメタデータを含む上記デジタルメディア、または上記デバイスの少なくとも一方は認証キーを含むことを特徴とする請求項２２に記載のデバイス。
【請求項３４】
上記規則及び／または制約情報は、上記デジタルメディアの使用を制限する地理的制約、時間的制約、識別制約、またはコピー制約の少なくとも１つを含むことを特徴とする請求項２２に記載のデバイス。
【請求項３５】
上記地理的制約は種々の異なるフォーマットで上記許可ウェブサイト上に格納されており、全地球測位システム（ＧＰＳ）情報、無線位置情報、セルラー位置情報、ネットワーク位置情報、電話領域コード情報、国別コード情報、及び郵便番号情報の少なくとも１つを含むことを特徴とする請求項３４に記載のデバイス。
【請求項３６】
上記デバイスは、上記許可ウェブサイトにアクセスする時に好ましいフォーマットを指示することによって、種々の異なるフォーマットから上記地理的制約のフォーマットを選択することを特徴とする請求項３４に記載のデバイス。
【請求項３７】
上記許可ウェブサイト上の規則及び／または制約情報は、時間と共に変化することを特徴とする請求項２２に記載のデバイス。
【請求項３８】
上記規則及び／または制約情報は、上記デジタルメディアの配信ソースによって上記許可ウェブサイト上に構成されていることを特徴とする請求項２２に記載のデバイス。
【請求項３９】
付加的な規則及び／または制約情報を、中間パーティによって上記許可ウェブサイト上に構成できることを特徴とする請求項３８に記載のデバイス。
【請求項４０】
上記デバイスが上記規則及び／または制約情報を遵守する状態にあるか否かに関する決定を、上記デバイスによって行うことを特徴とする請求項２２に記載のデバイス。
【請求項４１】
上記デバイスが上記規則及び／または制約情報を遵守する状態にあるか否かに関する決定を、上記許可ウェブサイトによって行うことを特徴とする請求項２２に記載のデバイス。
【請求項４２】
上記デバイスが上記規則及び／または制約情報を遵守する状態にない時に、上記デバイスを遵守状態に置く動作を遂行させるオプションを上記デバイスのユーザに提供する制御ロジック、
を更に含むことを特徴とする請求項２２に記載のデバイス。
【請求項４３】
コンピュータプログラムプロダクトであって、コンピュータ使用可能媒体を含み、上記コンピュータ使用可能媒体は、デバイスにおけるデジタルメディア使用を制御するために上記媒体内に埋込まれているコンピュータ可読プログラムコードを有し、上記コンピュータプログラムプロダクトは、
上記デジタルメディアをＵＲＩ情報に関連付けるためのコンピュータ可読プログラムコードと、
上記デジタルメディアを、デバイスにおいて、電子伝送を介して受信するためのコンピュータ可読プログラムコードと、
上記ＵＲＩ情報を使用して許可ウェブサイトと通信するためのコンピュータ可読プログラムコードと、
上記許可ウェブサイト上の上記デジタルメディアに関連する規則及び／または制約情報にアクセスするためのコンピュータ可読プログラムコードと、
もし上記デバイスが上記規則及び／または制約情報を遵守する状態にあれば、上記デジタルメディアへのアクセスを許可するためのコンピュータ可読プログラムコードと、
を含むことを特徴とするコンピュータプログラムプロダクト。
【請求項４４】
上記デバイスは、上記デジタルメディアを、以前にそのデジタルメディアを受信して格納した別のデバイスから、電子伝送を介して受信することを特徴とする請求項４３に記載のコンピュータプログラムプロダクト。
【請求項４５】
上記ＵＲＩ情報は配信ソースから到来する全てのコンテンツに関して同一であり、上記配信ソースは少なくとも放送サービスを含むことを特徴とする請求項４３に記載のコンピュータプログラムプロダクト。
【請求項４６】
上記ＵＲＩ情報は、特定コンテンツのための識別子を含むことを特徴とする請求項４３に記載のコンピュータプログラムプロダクト。
【請求項４７】
上記デバイスは、上記デジタルメディアを、ワイヤードネットワークを介して受信することを特徴とする請求項４３に記載のコンピュータプログラムプロダクト。
【請求項４８】
上記デバイスは、上記デジタルメディアを、ワイヤレス通信を介して受信することを特徴とする請求項４３に記載のコンピュータプログラムプロダクト。
【請求項４９】
上記デジタルメディアは、一般放送の一部として受信されることを特徴とする請求項４３に記載のコンピュータプログラムプロダクト。
【請求項５０】
上記デジタルメディアは、上記デバイスからの要求に応答して受信されることを特徴とする請求項４３に記載のコンピュータプログラムプロダクト。
【請求項５１】
上記デジタルメディアまたは上記許可ウェブサイトの少なくとも一方は、暗号化されていることを特徴とする請求項４３に記載のコンピュータプログラムプロダクト。
【請求項５２】
上記デジタルメディアまたは上記許可ウェブサイトの少なくとも一方は、認証キーを含むことを特徴とする請求項４３に記載のコンピュータプログラムプロダクト。
【請求項５３】
上記認証キーは、上記デジタルメディアを含む放送を通して上記デバイスに配信されることを特徴とする請求項５２に記載のコンピュータプログラムプロダクト。
【請求項５４】
上記許可ウェブサイト上に格納されている情報はデジタル署名を用いて保護されており、それに関連付けられている何等かのメタデータを含む上記デジタルメディア、または上記デバイスの少なくとも一方は認証キーを含むことを特徴とする請求項４３に記載のコンピュータプログラムプロダクト。
【請求項５５】
上記規則及び／または制約情報は、上記デジタルメディアの使用を制限する地理的制約、時間的制約、識別制約、またはコピー制約の少なくとも１つを含むことを特徴とする請求項４３に記載のコンピュータプログラムプロダクト。
【請求項５６】
上記地理的制約は種々の異なるフォーマットで上記許可ウェブサイト上に格納されており、全地球測位システム（ＧＰＳ）情報、無線位置情報、セルラー位置情報、ネットワーク位置情報、電話領域コード情報、国別コード情報、及び郵便番号情報の少なくとも１つを含むことを特徴とする請求項５５に記載のコンピュータプログラムプロダクト。
【請求項５７】
上記デバイスは、上記許可ウェブサイトにアクセスする時に好ましいフォーマットを指示することによって、種々の異なるフォーマットから上記地理的制約のフォーマットを選択することを特徴とする請求項５５に記載のコンピュータプログラムプロダクト。
【請求項５８】
上記許可ウェブサイト上の規則及び／または制約情報は、時間と共に変化することを特徴とする請求項４３に記載のコンピュータプログラムプロダクト。
【請求項５９】
上記規則及び／または制約情報は、上記デジタルメディアの配信ソースによって上記許可ウェブサイト上に構成されていることを特徴とする請求項４３に記載のコンピュータプログラムプロダクト。
【請求項６０】
付加的な規則及び／または制約情報を、中間パーティによって上記許可ウェブサイト上に構成できることを特徴とする請求項５９に記載のコンピュータプログラムプロダクト。
【請求項６１】
上記デバイスが上記規則及び／または制約情報を遵守する状態にあるか否かに関する決定を、上記デバイスによって行うことを特徴とする請求項４３に記載のコンピュータプログラムプロダクト。
【請求項６２】
上記デバイスが上記規則及び／または制約情報を遵守する状態にあるか否かに関する決定を、上記許可ウェブサイトによって行うことを特徴とする請求項４３に記載のコンピュータプログラムプロダクト。
【請求項６３】
上記デバイスが上記規則及び／または制約情報を遵守する状態にない時に、上記デバイスを遵守状態に置く動作を遂行させるオプションを上記デバイスのユーザに提供することを更に含むことを特徴とする請求項４３に記載のコンピュータプログラムプロダクト。
【請求項６４】
デジタルメディアをデバイスに配信するシステムであって、
ソースノードと、
デバイスと、
許可ウェブサイトと、
を含み、
上記ソースノードは、上記デジタルメディアをＵＲＩ情報に関連付け、
上記デバイスは、上記デジタルメディアを、電子伝送を介して受信し、
上記デバイスは、上記ＵＲＩ情報を使用して上記許可ウェブサイトと通信し、上記デバイスは、上記許可ウェブサイト上の上記デジタルメディアに関する規則及び／または制約情報にアクセスし、
上記デバイスが上記許可ウェブサイトにアクセスした結果として、もし上記デバイスが上記規則及び／または制約情報を遵守する状態にあれば、上記デバイスは上記デジタルメディアにアクセスすることを許可される、
ことを特徴とするシステム。
【発明の詳細な説明】
【技術分野】
【０００１】
本発明は、デジタルコンテンツ保護及びデジタル権利管理に関する。特定的には、本発明は、デジタルコンテンツ所有者の所有権を維持しながら、デジタルコンテンツを効率的な手法で遠隔の、そして多分識別されていないデバイスへ伝送するのを制御する新規なシステムに関する。
【背景技術】
【０００２】
世界的な市場における静止及びポータブルの両デジタルデバイスの可用性が成長し続けているために、コンシューマに直接配信される最新の情報に対する要望が急増してきている。この成長する市場に対処する少なくとも１つの努力として、種々のアウトレットを通して高品質のデジタルビデオコンテンツの配信を容易にするために、デジタルビデオ放送（ＤＶＢ）が世界中で実現されつつある。地上波デジタルビデオ放送システムＤＶＢ−Ｔの所期標準は1995年に承認され、世界中の多くの国々において実現されている。
【０００３】
このオリジナルのベンチマークの成功に基づく種々のハンドヘルドデジタルデバイスの激増が、類似のデジタルビデオコンテンツをポータブルユニットへ配信することに強い関心をもたらした。例えばＤＶＢ−ＨはＤＶＢ−Ｔ標準の延長であり、低電力モバイルデバイスがデジタルプログラミングを受信することを目標にしている。このハンドヘルド標準は旧ＤＶＢ−Ｔ標準の主要部分を含むが若干の変更が施されており、従来はモバイルデバイス及びハンドヘルドコンピュータ等が使用していたセルラーネットワークを使用することなく、コンテンツを主としてＩＰを使用してＭＰＥＧ２トランスポートストリームを介してこれらのデバイスへ配信する。
【０００４】
デジタルビデオコンテンツを“静止”及び“モバイル”の両コンシューマの広範なアレイへ配信できることが市場における所望の要望を満足させはしたが、それはある論争を惹起させた。デジタル情報は、その先駆形態であるアナログとは異なり、時間の経過またはコピーの繰り返しによって劣化することはない。デジタルファイルは無限にコピーすることができ、各コピーは初めのソースと正確に同一の品質を受け継ぐ。従って、米映画協会（ＭＰＡＡ）によって表されるスタジオ、コンサート及びスポーツを含むライブイベントの放送者、ラジオ放送者、本及び雑誌の発行者等のようなコンテンツプロバイダは、媒体へのアクセス及び／または複製をどのように制限するかという種々の使用規則によって制御されるような彼等のコンテンツを配信する手法を捜し求めている。
【０００５】
コンテンツの配信を制限するために屡々使用される１つの制限は、コンテンツを受信する、または提示するデバイスの現在位置である。コンテンツプロバイダは、屡々、ある地理的領域だけにコンテンツを閉じこめるように配信可能であると主張している。これの一例は、ＤＶＤのために設計された地域コーディングシステムであり、これによって異なる時間に異なる地域で映画を公開することが可能になる。これは、デジタルＴＶ放送にも適用される。放送権は、本来地域的なものである。コンテンツを放送する権利は、典型的に潜在的な視聴者のサイズに基づいて販売され、従って、放送信号は放送者が放送する権利を有している領域（例えば、国）に閉じ込められる。フットボール及び野球ゲームのようなあるスポーツイベントのような若干の場合には、ゲームをＴＶで視聴しないで実際のゲームの入場券を購入するように人々を誘うために、スタジアムの周辺のローカルな領域の放送をブロックし、放送を視聴することができないブラックアウト領域を必要とする。
【０００６】
ホームネットワーク及びブロードバンドインターネット接続が広く展開されるにつれて、放送からレコードしたコンテンツファイルを異なる位置へ転送する、または放送されたコンテンツをインターネットを介してライブでストリーミングすることによって異なる位置からアクセスすることが容易になってきている。従って、コンテンツを提示するデバイスが、放送を受信したデバイスと必ずしも同一の位置にはないことも、または同一の地理的領域にないことさえもある。これにより、ユーザには時間及び場所には関係なくコンテンツを消費することができるという便益が与えられるが、コンテンツプロバイダの観点からすれば使用が許可されていない領域においてコンテンツが使用される危険性が増加することになる。これは、コンテンツプロバイダに、コンテンツを単一のホームネットワークのようなローカルな環境に閉じ込めるような遠隔アクセスを完全に防ぐ技術的解決法を確立することを促した。しかしながら、これは、そのようにしなければコンテンツの消費が許容されている領域においても、遠隔アクセスが阻止されてしまう弱点を有している。
【０００７】
問題を更に複雑にするのは、地理的な位置または領域をいろいろな異なるコーディングスキームで表し得ることである。若干のデバイスの場合、１つのコーディングスキームを他のコーディングスキームよりも支援することが自然である。例えば、ＤＶＢ−Ｈ受信機は、現在受信している放送信号内に含まれる送信機セル識別子によって位置を知ることができるが、たとえ絶対地理座標を告げるＧＰＳデバイスを組入れているとしても、ＤＶＢ−Ｈ受信機を有していないモバイルホンにとってＤＶＢ−Ｈセル識別子は、そのモバイルホンがこれら２つのコーディングスキーム間のデジタルマッピングをも格納していない限り、役に立たない。何れか１つの地理的コーディングスキームから別のコーディングスキームに翻訳し、変換するために必要なデジタルマップはかなりの記憶容量を必要とするから、小さいハンドヘルドデバイスにとってこのアプローチは実行不能である。
【発明の開示】
【発明が解決しようとする課題】
【０００８】
地理的な制約に基づいてコンテンツを保護する規則を制定する必要があっても、使用制限を遵守させることが困難であることから、コンテンツプロバイダは遠隔アクセスを支援することを躊躇してきた。遠隔アクセスが可能なハンドヘルドデジタルデバイスは、任意の時刻に任意の地点にあることができ、現状では、この情報に基づく位置の決定、及び規則及び／または制限の制定の両方にとって効果的な方法を提供しない。この問題は、全てが異なる通信、位置、及びオペレーティングシステムを使用して動作している無数の使用可能なデジタルデバイスによって更に悪化する。必要なのは、現在のデバイスの状態を入手することができ、その現在のデバイスの状態に関連する規則及び／または制約を制定できるように、遠隔に位置する、そして多分識別されていないデジタルデバイスへ配信されるデジタルビデオコンテンツを制御するための効率的且つ効果的な方法である。更に、これらの規則及び／または制約の制定は、エンドコンシューマに非友好的ではないような手法で遂行すべきであり、もし適切であれば、デジタルビデオコンテンツにアクセスできるように受信デバイスに規則を遵守させるオプションを提供することができる。
【課題を解決するための手段】
【０００９】
本発明は、遠隔に位置するデジタルデバイスへのデジタルコンテンツの配信を効率的且つ効果的に制御する方法、装置、コンピュータプログラム、及びシステムからなる。本発明の配信方法は、使用規則及び／または制約に関する情報の全てを、デジタルメディア信号の一部として通信する負担を軽減させる。この情報は、許可された、または排除された地理的領域をいろいろな異なるフォーマットで、及び時制制約、識別関連制約、コピー制約等を含むことができる。代わりに、簡易化されたＵＲＩ（ウェブサイトＵＲＬのような）が、コアデジタルコンテンツと共に含まれる。受信デバイスは、ＵＲＩを使用して許可されたウェブサイトにアクセスすることができ、そこから使用規則及び／または制約を入手することができる。この情報は、そのデバイスが規則遵守状態にあるか否か、及びコアコンテンツにアクセスできるか否かを決定するために使用される。
【００１０】
本発明の少なくとも１つの実施の形態においては、ウェブサイトは、コンテンツプロバイダ及び／または中間パーティによってアクセスされる。これらのパーティは、デジタルコンテンツの特定アイテム（ファイルまたはストリーム）に関連する使用規則及び／または制約を有する許可ウェブサイトを構成することができる。エンドユーザは、コアコンテンツを含むデジタルコンテンツを、許可ウェブサイトのアドレスを指示するＵＲＩと共に受信する。次いで、受信デバイスは許可ウェブサイトと接触し、適切な許可または排除を決定する。許可ウェブサイトは、規則及び／または制約情報をいろいろな異なるフォーマットで含んでおり、各デバイスがそのデバイスとコンパチブルなフォーマットで使用制約を入手できるようにしている。受信デバイスは、その現在の状態（例えば、位置、時刻、ユーザＩＤ等）がそのコンテンツのための規則及び／または制約に関して許容される状態にあるか否かを決定する。
【００１１】
本発明の別の実施の形態においては、受信デバイスが、コアコンテンツの使用を制御する規則及び／または制約を遵守する状態にないことを決定することができる。しかしながら、そのデバイスを、これらのガイドラインに適合可能にするオプションが存在する。これらのオプションは、受信デバイス上で遂行される動作として使用可能であり、例えば、コンテンツを合法的に提供する料金ベースのサービスをユーザが予約する（または定期購読のアップグレード）のを可能にすること、またはビューイング禁止が経過した後に（例えば、ライブコンサート、スポーティングイベント等が完了してから30分後）所望のコンテンツを思い出す、または自動ダウンロードするようにデバイスをスケジュール可能にすることを含むことができる。
【００１２】
更に、デバイスは、許可ウェブサイトと通信する時に、その現在の状態情報をウェブサイト内のインテリジェントモジュールへ提出するだけでよい。このモジュールは、デバイスの現在の状態情報をデコードし、そのデバイスがコアコンテンツの規則及び／または制約を遵守しているか否かを決定することができる。次いで許可ウェブサイトは、単に、デバイスがコアコンテンツにアクセスするのを容認するか、または拒絶することができる。
【００１３】
許可エージェントとして外部ウェブサイトに依存すると、悪意のある意図を有するパーティによる攻撃の可能性を導入し得る。例えば、ハッカーが許可ウェブサイトに侵入したり、または情報のルーティングを変更してデバイスを別のウェブサイトへ送る転送命令を導入したりし得る。また他のウェブサイトが、既存の使用制約及び受信デバイスの現在の状態には無関係に全てのデバイスに対して全てのコアコンテンツにアクセスすることを許可しかねない。本発明の少なくとも１つの実施の形態においては、コアコンテンツ、許可ウェブサイト、使用制約、及び／または関連伝送の暗号化、署名、及び／またはキー検証を要求することによって、このシナリオを防止する。電子キーは、例えばデジタルコンテンツの伝送内に含ませることができ、受信デバイスによって予め知ることができ、そしてビューイングソフトウェア等によってインストールすることができる。
【００１４】
本発明は更に、電子コンテンツをエンドコンシューマへ供給する代替配信チャネルのためのオプションを含んでいる。本発明の少なくとも１つの実施の形態においては、コンテンツはサービスプロバイダによって集められ、パッケージまたはバンドルの形状で種々の放送プロバイダに配信される。エンドユーザは、放送プロバイダからデジタルビデオコンテンツを要求し、もし受信デバイスがコアコンテンツに関連する規則及び／または制約を遵守する状態を有していれば、このコンテンツにアクセスすることができる。このシナリオにおいては、規則及び／または制約はデリバリチェーン内の何らかのアクターによって供給することができ、エンドユーザが遵守しているか否かはこれらのガイドラインの種々の組合せに基づいて決定することができる。
【００１５】
以下に、添付図面を参照して好ましい実施の形態を詳細に説明する。
【発明を実施するための最良の形態】
【００１６】
本発明を好ましい実施の形態について説明するが、本発明の思想及び範囲から逸脱することなく多くの変更を行うことができることを理解されたい。
【００１７】
本発明は、ＤＶＢのような特定伝送技術の例を含む。しかしながら、本発明は、データをローカルまたは遠隔クライアントへ伝送するために使用されるどのような適用可能なワイヤード、またはワイヤレス伝送システムにも適用可能である。これらの通信の型は、限定するものではないが、ワイヤードインターネット、ワイヤレスローカルエリアネットワーキング（ＷＬＡＮ）、超広帯域ネットワーキング（ＵＷＢ）、またはワイヤレスユニバーサルシリアルバスネットワーキング（ＷＵＳＢ）、モバイル通信のためのグローバルシステム（ＧＳＭ）ネットワーク、ジェネラルパケットラジオサービス（ＧＰＲＳ）セッション、ユニバーサルモバイル通信システム（ＵＭＴＳ）セッション、及び他の何等かの３Ｇまたは４Ｇモバイルを含む。
【００１８】
Ｉ．既存システム
益々多くのコンテンツアイテム（例えば、テレビジョン、映画、ライブパフォーマンス、本、雑誌等）が電子的に配信されつつあるが、デジタルメディアの権利を制御する概念は新しい概念ではない。過去15−20年にわたって、多くのグループがデジタルコンテンツのためのコピー保護を制定するためにシステム及び標準を公式化してきた。これらの努力の殆どは、ファイルが、物理媒体（例えば、フレキシブルディスク、コンパクトディスク（ＣＤ）、ＣＤ−ＲＯＭ、デジタル多用途ディスク（ＤＶＤ）等）から複製可能な電子形状でコピーされるのを防ぐことに集中してきた。従って多くのコピー保護方法は、オリジナル片物理媒体を識別し、情報がその物理媒体からコピーされるのを防ぐ電気機械式システムに集中していた。しかしながら、インターネットを介してデジタルコンテンツを購入することが流行して、物理媒体を不要なものにしてしまった。権利保護の理論は、変化する市場を説明する試みを引き出した。純粋にデジタル配信の使用ガイドライン制定のために現在実現されている方法を図１に示す。
【００１９】
「インターネットプロトコルを介するデジタル伝送コンテンツ保護（ＤＴＣＰ）」は、現在市場において実現されているデジタルコンテンツ保護システムである。図１によれば、コンテンツプロバイダ１００または中間パーティ１１０は、ライブビデオ（ストリーミング）、以前にレコードされたビデオ、オーディオ、ゲーム、テキスト及びピクチャを含むデータファイル等のようなデジタルコンテンツをいろいろなユーザに供給することができる。中間パーティ１１０は、コンテンツプロバイダからのコンテンツを受信して、市場の配信面に特殊化することができる。これらのパーティは、まとめてコンテンツの“ソース”と言うことができる。デジタルメディアは、典型的にはインターネットを介して電子的に供給される。コンテンツはサービスプロバイダ１２０によってホームネットワーク１３０へ配信される。サービスプロバイダ１２０は、デジタルコンテンツをソースから直接配信することも、または異なるコンテンツプロバイダまたは中間パーティから種々のファイルを集め、または累積し、それらをパッケージとしてエンドユーザに配信することもできる。ＤＴＣＰは、ファイルのコピー保護ステータスを決定し、意図した受信者から認証キーを要求することによって動作する。図示の例では、通信は、サービスプロバイダ及び／またはソースと、ユーザのホームネットワーク１３０内のデジタルビデオレコーダ（ＤＶＲ）１３２との間で行われている。デジタルメディアの配信を支配する規則によれば、ソースからコンテンツをダウンロードできるようになる前に、デバイスの識別、ユーザ識別、位置等を問合わせることができる。次いで、デジタル情報をＤＶＲ１３２に記憶させることができる。多くの状況においては、デジタルコンテンツは制定された“１回限りのコピー”規則を有することができ、一方、コンテンツはユーザによって承認されたホームネットワーク内に他の識別されたデータ１３４に放送（もしくは“ストリーム”）することができるが、そのコンテンツはこれらのデバイス上にローカルに格納されることはない。最も重要なことには、コンテンツはインターネット、ワイヤレスインターネット等を介してホームネットワーク１３０の外部の何処へも送ることはできない。遠隔リンクを介してホームネットワーク１３０に接続された識別されていないデバイス１４０は、保護されたコンテンツにアクセスすることはできない。
【００２０】
ＤＴＣＰの制限は重要である。前述したように、デジタルコンテンツは、ホームネットワーク内からだけダウンロードし、見ることができる（ルータ間のホップの数及びラウンドトリップ時間のようなパラメータを制限することによって制御される）。多くの場合、コンテンツは１回だけ保存することができ、それによって、後刻家庭外で使用するためにポータブルデバイスにそれをコピーする可能性を排除している。モバイルデバイスをホームネットワークの恒久メンバーとして設計する方法は存在していないから、それらが家庭外から家庭に格納されているコンテンツに再度遠隔アクセスすることがあり得る。従って、この解決法は、現在、指定されている“ホーム”地理的領域の外部にあるデバイスに、デジタルコンテンツを配信する如何なる能力をも有していない。
【００２１】
II．ワイヤレス通信デバイス
図２Ａは、ユーザが、これらの制限に逆らってデジタルコンテンツを受信する際に使用することを望むハンドヘルドワイヤレス通信デバイス（ＷＣＤ）２００のブロック図（モジュラーレイアウト）である。ＷＣＤ２００は、本明細書においてデバイス１４０として指定されている一般的クラスの未識別デバイスの一部である。ＷＣＤ２００は、デバイスの多くの機能面を表すモジュールに分割される。これらの機能は、以下に説明するソフトウェア及び／またはハードウェア要素の種々の組合せによって遂行することができる。
【００２２】
制御モジュール２１０は、デバイスの動作を統制する。入力は、ＷＣＤ２００内に含まれる他の種々のモジュールから受信される。例えば、妨害感知モジュール２２０は、当分野においては公知の種々の技術を使用して、ワイヤレス通信デバイスの実効伝送距離内の環境妨害の源を感知する。制御モジュール２１０はこれらのデータ入力を翻訳し、それに応答してＷＣＤ２００内の他のモジュールに制御命令を発行することができる。
【００２３】
通信モジュール２３０は、ＷＣＤ２００の通信面の全てを統合する。図２Ａに示すように、通信モジュール２３０は、例えば、長距離通信モジュール２３２、短距離通信モジュール２３４、及び機械可読データモジュール２３６を含む。通信モジュール２３０は、少なくともこれらのサブモジュールを使用し、ローカル及び長距離の両方のソースから複数の異なる型の通信を受信し、またＷＣＤ２００の放送範囲内の受信者デバイスへデータを送信する。通信モジュール２３０は、制御モジュール２１０によって、または感知したメッセージ、環境的な影響、及び／またはＷＣＤ２００に近接する他のデバイスに応答するモジュールにローカルな制御資源によって、トリガすることができる。本発明の少なくとも１つの実施の形態においては、長距離通信モジュール２３２は、例えばＤＶＢ−Ｈ技術を使用する放送受信機を含むことができる。
【００２４】
ユーザインタフェースモジュール２４０は、ＷＣＤ２００のユーザがデータをデバイスから受信し、データをデバイス内に入力することを可能にする可視、可聴、及び可触要素を含む。ユーザが入力したデータは制御モジュール２１０によって翻訳され、ＷＣＤ２００の挙動に影響を与えることができる。また、ユーザが入力したデータは、通信デバイス２３０によって実効伝送距離内の他のデバイスへ送信することもできる。伝送距離内の他のデバイスも通信モジュール２３０を介してＷＣＤ２００へ情報を送ることができ、制御モジュール２１０はこの情報をユーザに提示するためにユーザインタフェースモジュール２４０へ転送することができる。
【００２５】
アプリケーションモジュール２５０は、ＷＣＤ２００上の他の全てのハードウェア及び／またはソフトウェアアプリケーションを統合する。これらのアプリケーションは、センサ、インタフェース、ユーティリティ、インタプリタ、データアプリケーション等を含むことができ、種々のモジュールによって供給される情報を読むために制御モジュール２１０によって呼出すことができ、またそれ自体はＷＣＤ２００内の要求中のモジュールに情報を供給する。例えば、位置モジュール２５２はアプリケーションモジュール２５０内のアプリケーションであることができ、ＷＣＤ２００の地理的位置に関する情報を制御モジュール２１０に、またはこの情報を要求しているＷＣＤ２００内の他の何れかのモジュールに供給することができる。
【００２６】
図２Ｂは、前述したモジュラーシステムの機能を実現するために使用可能な本発明の一実施の形態によるＷＣＤ２００の構造レイアウトの例である。プロセッサ２６０は、デバイスの総合動作を制御する。図２Ｂに示すように、プロセッサ２６０は通信区分２６４、２６６、及び２６８に結合されている。プロセッサ２６０は、それぞれがメモリ２６２内に格納されているソフトウェア命令を実行することができる１つまたはそれ以上のマイクロプロセッサで実現することができる。
【００２７】
メモリ２６２は、ランダムアクセスメモリ（ＲＡＭ）、読出し専用メモリ（ＲＯＭ）、及び／またはフラッシュメモリを含むことができ、データ及びソフトウェア要素（モジュールともいう）の形状で情報を格納する。メモリ２６２に格納されているデータは、特定のソフトウェア要素に関連付けることができる。更にこのデータは、スケジューリング、ｅメール等のために、ブックマークデータベースまたはビジネスデータベースのようなデータベースに関連付けることができる。本発明の一実施の形態においては、少なくも１つのメモリが放送受信機を介してコンテンツバーストを受信し、コンテンツをＷＣＤ２００の他の要素へ伝送する。
【００２８】
メモリ２６２内に格納されているソフトウェア要素は、プロセッサ２６０が実行することができる命令を含む。いろいろな型のソフトウェア要素を、メモリ２６２内に格納することができる。例えば、メモリ２６２は、通信区分２６４、２６６、及び２６８の動作を制御するソフトウェア要素を格納することができる。メモリ２６２は更に、ファイアウォール、サービス案内管理者、ブックマークデータベース、ユーザインタフェース管理者、及びＷＣＤ２００を支援するのに必要な何等かの通信ユーティリティモジュールを含むソフトウェア要素を格納することができる。
【００２９】
長距離通信２６４は、アンテナを介して、大きいカバレッジエリアネットワーク（セルラーネットワークのような）にまたがる情報の交換に関連する機能を遂行する。従って、長距離通信２６４は、ジェネラルパケットラジオサービス（ＧＰＲＳ）セッション及び／またはユニバーサルモバイル通信システム（ＵＭＴＳ）セッションのようなデータ通信セッションを確立するように動作することができる。また長距離通信２６４は、短メッセージサービス（ＳＭＳ）メッセージ及び／またはマルチメディアメッセージングサービス（ＭＭＳ）メッセージのようなメッセージを送受信するように動作することができる。
【００３０】
短距離通信２６６は、短距離ワイヤレスネットワークにまたがる情報の交換を含む機能に責を負う。上述したように、そして図２Ｂに示すように、これらの短距離通信２６６の例は、ブルートゥースTM、ＷＬＡＮ、ＵＷＢ、及びワイヤレスＵＳＢ接続に限定されるものではない。短距離通信２６６は、短距離接続の確立に関する機能、並びにこれらの接続を介する情報の送受信に関する処理を遂行する。
【００３１】
これも図２Ｂに示されている短距離入力デバイス２６８は、機械可読データの短距離走査に関する機能を提供することができる。例えば、プロセッサ２６０は、ＲＦＩＤトランスポンダを活動化させるためにＲＦ信号を生成するように短距離入力デバイス２６８を制御することができ、またＲＦＩＤトランスポンダからの信号の受信を制御することができる。短距離入力デバイス２６８によって支援することができる機械可読データを読むための他の短距離走査方法は、磁気、ＵＶ、または適当なインクを使用してタグ内に設けることができる導電性または他の型のコード化されたデータを読むためのＩＲ通信、線形及び２Ｄバーコードリーダー（ＵＰＣラベルの翻訳に関するプロセスを含む）、及び光学文字認識デバイスに限定されるものではない。上述した型の機械可読データを短距離入力デバイス２６８に走査させるために、入力デバイスは、光検出器、磁気検出器、ＣＣＤ、または当分野においては公知の機械可読情報を翻訳するための他のセンサを含むことができる。
【００３２】
図２Ｂに更に示すように、ユーザインタフェース２７０もプロセッサ２６０に結合されている。ユーザインタフェース２７０は、ユーザとの情報の交換を容易にする。図２Ｂには、ユーザインタフェース２７０がユーザ入力２７２及びユーザ出力２７４を含むように示されている。ユーザ入力２７２は、ユーザが情報を入力できるようにする１つまたはそれ以上の要素を含むことができる。これらの要素の例は、キーパッド、タッチスクリーン、及びマイクロホンを含む。ユーザ出力２７４は、ユーザがデバイスから情報を受けることができるようにする。即ち、ユーザ出力部分２７４は、ディスプレイ、発光ダイオード（ＬＥＤ）、可触エミッタ、及び１つまたはそれ以上のオーディオスピーカのような種々の要素を含むことができる。ディスプレイの例は、液晶ディスプレイ（ＬＣＤ）及び他のビデオディスプレイを含む。
【００３３】
ＷＣＤ２００は更に、トランスポンダ２７６を含むことができる。これは本質的に受動デバイスであり、外部ソースからの走査に応答して配信される情報を用いてプロセッサ２６０によってプログラムすることができる。例えば、エントリウェイ内に取付けられているＲＦＩＤスキャナは、無線周波数波を連続的に輻射することができる。トランスポンダ２７６を含むデバイスを持つ人がドアを通って歩いている時にトランスポンダを付勢し、そのデバイス、その人等を識別する情報を用いて応答することができる。
【００３４】
全地球測位システム（ＧＰＳ）２７８は、ＷＣＤ２００内に含まれて地理的位置情報を供給することができる付加的なシステムの例である。ＧＰＳ２７８は、ＷＣＤ２００が軌道衛星または無線塔から送られる信号に基づいてその地球座標を計算することができる要素を含むことができる。この情報は、他のアプリケーションと共にプロセッサ２６０によって使用することも、またはユーザにＷＣＤ２００の現位置を通報するためにユーザインタフェース２７０によって表示することもできる。
【００３５】
通信区分２６４、２６６、及び２６８に対応するハードウェアは、信号の送受信を行う。即ち、これらの区分は、変調、復調、増幅、及び濾波のような機能を遂行する要素（例えば、エレクトロニクス）を含むことができる。これらの区分は、局部的に制御することも、またはメモリ２６２内に格納されているソフトウェア通信要素に従ってプロセッサ２６０によって制御することもできる。
【００３６】
図２Ｂに示されている要素は、図２Ａに示した機能を発生させるために種々の技術に従って構成し、結合することができる。このような技術の１つは、プロセッサ２６０、メモリ２６２、通信区分２６４及び２６６、短距離入力デバイス２６８、ユーザインタフェース２７０、トランスポンダ２７６、ＧＰＳ２７８等に対応する分離したハードウェア要素を、１つまたはそれ以上のバスインタフェースを通して結合することを含む。代替として、個々の要素の何れか及び／または全てを、スタンドアロンデバイスの機能を複製するためにプログラムされたプログラム可能なロジックデバイス、ゲートアレイ、ＡＳＩＣ、マルチチップモジュール等によって置換することができる。更に、これらの各要素は、遠隔及び／または再充電可能な電池（図示してない）のような電源に結合されている。
【００３７】
ユーザインタフェース２７０は、これもメモリ２６２内に含まれている通信ユーティリティと対話することができる。この通信ユーティリティは、長距離通信２６４及び／または短距離通信２６６を使用してサービスセッションを確立するために設けられている。通信ユーティリティ要素は、メディアに従って遠隔デバイスからサービスを受信可能にする種々のルーチンを含むことができる。
【００３８】
III．デバイス位置の決定
デバイスが、保護されたコンテンツに関連付けられている規則及び／または制約を遵守しているか否かを決定するために使用される１つのキー特性は、デバイスの位置である。前述したように、位置に基づく選別は、若干のライブイベント等の入場券の完売を刺激するためにの如く、異なる領域へのデジタルビデオコンテンツの制御された公開を維持するために使用することができる。デバイス１４０の位置を決定するいろいろな方法を図２Ｃに示す。例えば、衛星位置を使用し、ＧＰＳを介して位置を正確に指示することができる。無線またはセルラー測位システムは、セルラーＩＤ番号を使用するデバイスの位置、及びデバイスが最後に使用したセルラーシステムの位置を決定することができる。地上アクセス点の位置を決定することを含むより一般的な測位システムも使用することができる。これらの場合、遠隔デバイスはワイヤード接続を介してネットワークにアクセスすることができ、それらの現位置は、ネットワークアドレス（例えば、ＩＰアドレス）、電話番号、郵便番号（ジップコード）、国別コード等のような手段によって決定することができる。これらの接続は、例えば旅行中に一時的／条件付きデバイス（例えば、ホテルのＴＶ、電話、コンピュータ、またはビデオシステム）を使用して、または外部ワイヤードまたはワイヤレスネットワークに接続されている彼自身の個人ハンドヘルドデバイスを介して、保護されたデジタルコンテンツにアクセスしようとする人によって行うことができる。
【００３９】
これらのシステムの全てによって惹起される問題は、互換性（コンパチビリティ）である。デジタル情報を受信し、それにアクセスすることができる特定のデジタルデバイス１４０は、これらの位置を限定するシステムの１つだけを使用することができる。これらのデバイスは、セルホンのように簡単で、デスクトップコンピュータのように複雑なアイテムを含む。異なる位置を限定するシステム間のマッピングは、特に遠隔接続を介して異なる型のデバイス間でコンテンツを転送する場合には困難である。理想的には、保護されたコンテンツを要求するどのようなデバイスも、そのデバイスとコンパチブルなフォーマットで供給されるデジタルメディアに関する規則情報をも有していなければならない。このようにすると、そのデバイスは、その現在の状態がコンテンツの使用を支配している規則に従っているか否かを決定することができ、また使用規則に従うその挙動をパターン化することができる。
【００４０】
IV．コア伝送と共に保護情報を含む保護システム
デジタルメディアのためのコピー保護の遠隔施行を実現する方法の例を、図３に示す。デバイス１４０は、コンテンツプロバイダ１００及び／または中間パーティ１１０には識別されておらず、未知の位置から動作することができる。保護されたコンテンツをデバイス１４０から要求することも、または一般的に、ソースからデジタルデバイスに放送することもできる。この場合、受信デバイス１４０が規則を遵守しているか否か、及びコンテンツにアクセスできるか否かに関する決定は、デバイス自体によって決定される。
【００４１】
この例では、ワイヤレス通信を介して送られるコンテンツ３００は、受信デバイス１４０がデジタルメディアの使用を支配している規則を遵守しているか否かを判定するのに必要な全ての許可情報を含む。許可情報は、多数の潜在的なビューイングデバイスに説明しなければならない。従って、許可情報は必須的に、コンテンツを見ることが許可されている領域の位置情報（前述したように、さまざまなフォーマットで）、カバレッジの中の除外された領域（前述したように、さまざまなフォーマットで）、及び時間的制限、識別制限、コピー制限等のような他の何等かの制限情報を含む。状況に依存して、信号と共に含まれる許可情報は重要になり、コンテンツプロバイダ１００または中間パーティ１１０は、コンテンツに課せられた制約の全てを通信できないか、または代替として、所望の位置を限定するフォーマットの全てに許可情報を含ませることができない。例えば、帯域幅制限の故に（デバイスのスイッチオン、特定サービスの選択等の後の、デバイスの初期アクセス時間を短縮するために、屡々繰り返す必要がある情報を考慮して）、多数の異なる位置限定フォーマットで情報を放送することが阻害され得る。ハードウェア制限に起因する問題が、受信デバイス１４０にも見ることができる。セルラーホンは、コンテンツ及び保護情報の両方をダウンロードするのに必要な処理能力またはメモリも有していないかも知れないので、使用制約を効率的な手法で実施することができる。
【００４２】
Ｖ．本発明によって実現される改良
図４は、本発明の実施の形態を示している。コアコンテンツに関係する規則及び／または制約を通信する負担を再割当てするために、別のアクター、許可ウェブサイト４００がトランザクション内に導入される。デジタルコンテンツのソース及び受信デバイス１４０の両者は、許可をセットし、その許可を試験するために、ウェブサイトと対話する。これによって、全てのデバイスに放送されるデジタルコンテンツ信号３００内で送るのに必要な付加的な情報は激減する。コアコンテンツと共に伝送の一部として権利情報を送らなければならないことに代わって、権利情報をユニバーサル資源識別子（ＵＲＩ）（そのユニバーサル資源ロケータ（ＵＲＬ）またはウェブサイトアドレスはサブセットである）に制限することができる。受信デバイス（または、受信デバイスと同一でなければ、提示デバイス）がこの情報を使用して許可ウェブサイトと接触することができる。このウェブサイトは、許可規則情報の一元化されたリポジトリであり、大量のコンテンツに関する規則及び／または制約を含むことができる。更に、これらの規則及び／または制約はいろいろなフォーマットで表すことができ、それによって異なる型のデバイスがコンパチブルな許可情報にアクセスし、見出すことを可能にする。
【００４３】
本発明の実施の形態を、図５Ａに、より詳細に示す。コンテンツプロバイダ１００または中間パーティ１１０は、許可ウェブサイト４００内のコンテンツ３００のための使用規則及び制約を定義し、受信デバイス１４０はコンテンツ３００を支配している規則及び／または制約に関して許可ウェブサイト４００に問合わせ、それからのフィードバックを受信する。図５Ｂに示すフローチャートを参照して、このプロセスを説明する。ステップ５００において、コンテンツのソースが、コンテンツの使用を制御するための使用規則を作成する。コンテンツを制御する規則及び／または制約は、地理的制限、時間的制限、ユーザ／加入者制約、コピー制約等を含むことができる。これらの規則は、ウェブサイト４００に格納される（ステップ５０２）。これらの規則を種々のデバイスとコンパチブルなフォーマットに翻訳するのは、コンテンツプロバイダによって遂行することも、または基本規則がウェブサイトへアップロードされた後に遂行することもできる。ステップ５０４において、許可ウェブサイト４００はデバイス１４０からの接触を待機するモードに入る。
【００４４】
コンテンツの配信は、ステップ５０６において開始される。コンテンツは、コンテンツプロバイダ１００または中間パーティ１１０から自動的に放送することができる。代替として、ユーザは、デバイス１４０上に位置しているサービス管理者または他のオペレータインタフェースを使用してコンテンツを要求することができる。ステップ５０８において、許可ウェブサイト４００のためのＵＲＩ情報及びコアコンテンツを含むコンテンツは、デバイス１４０へ配信される。デバイスは、ステップ５１０においてウェブサイトに接触する。この通信は、コンテンツが完全にダウンロードされ、ロックされた状態に格納された後に行うことも、または、もしデバイスが多重同時接続を管理することが可能であれば、ダウンロードと同時に遂行することもできる。
【００４５】
ステップ５１２において、デバイス１４０は、コンテンツ３００に関連する規則及び／または制約情報にアクセスする。デバイス１４０は、コンパチブルな型の地理的識別子を選択することによって使用許可及び／または制約を検索することができ、または製造モデル番号等によってそれ自体を識別することもできるので、ウェブサイトは適切なコンパチブルな情報を供給することができる。これは、例えばデバイスまたはフォーマット識別子を、コンテンツ３００と共に受信したＵＲＩに付加することによって行うことができる。デバイス１４０によって検索された情報は、デバイスの現在の状態（例えば、位置）が与えられると、デバイスがデジタルメディア使用要求に従うことができるか否かを決定することを可能にする（ステップ５１４）。もしデバイス１４０が遵守していれば、例えば、スケジュールに従って次にプログラムの放送が行われる時に、ステップ５１６においてユーザはコンテンツ３００にアクセスすることを容認される。一方、もしデバイス１４０が遵守していなければ、ステップ５１８においてアクセスは拒絶される。
【００４６】
しかしながら、この拒絶がトランザクションを終わらせることはできない。ステップ５２０は、デバイス１４０を遵守状態に置く解決法を与えるために、本発明の若干の実施の形態において実現することができる。図５Ｃは、デバイスを遵守状態に置く動作を遂行するオプションをユーザに提供する２つのユーザインタフェース出力画面例である。例５３２は、ユーザがライブイベントのデジタルビデオメディアにアクセスすることを試みた状況を示している。ディスプレイは、現在はそのコンテンツを使用できないが、イベントが終了してから30分後に利用できるようになることをユーザに知らせている。また、コンテンツが利用可能になった時にデバイスがユーザに思い出させるようにするか否か、またはそれが利用可能になった時にコンテンツを自動的にダウンロードするか否かのオプションも表示されている。次にデバイス１４０は、多分、ユーザが所望の機能を構成できるようにする別のインタフェースディスプレイを表示するようになろう。別の例５３４では、ユーザが、現在権利が認められていないコンテンツにアクセスしようとしている。しかしながら、もしユーザがコンテンツへのアクセス権を購入すればユニットが遵守になるというオプションが存在している。この購入は、コンテンツプロバイダまたは中間パーティによって提供されるサービスの予約であり得る。５３４に示されているディスプレイの“ＹＥＳ”を選択すると、ユーザには別のディスプレイが表示されて予約情報に入ることが可能になり、次いで、これをＧＰＲＳ、ＳＭＳ等のような長距離通信を介してコンテンツのソースへ通信することができる。
【００４７】
本発明の別の実施の形態を図６Ａに示す。保護されたデジタルコンテンツ３００をデバイス１４０に配信するために、全て同一の関係者が対話しているが、図６Ｂのプロセスの流れに示されている対話は、許可ウェブサイト４００とデバイス１４０との間に含まれる諸ステップが先行実施の形態とは異なっている。
【００４８】
ステップ６１２までのステップは、図５Ｂ及び図６Ｂのフローチャートに類似している。デバイス１４０が許可ウェブサイト４００と接触した後に、デバイスはその現在の状態をウェブサイトにアップロードする。デバイスの現在の状態は、デバイス識別、ユーザ識別、デバイス製造者、デバイスモデル番号、デバイス位置等を含むことができる。この情報は許可ウェブサイトによって、コンテンツ３００を支配する規則及び／または制約と対照可能なフォーマットに翻訳される（ステップ６１４）。次いで、ウェブサイトは単に、コンテンツ３００へのアクセスを許可する（ステップ６１６）か、またはコンテンツへのアクセスを拒絶する（ステップ６１８）ことをコードで返答することができる。図５Ｂのプロセスと同様に、ステップ６２０は、コンテンツ３００を支配する規則及び／または制約を遵守する状態にデバイスを置くための代替動作をユーザに提言するように実現することができる。
【００４９】
VI．リダイレクション及び偽識別を防ぐセキュリティ機能
保護されたコンテンツへのアクセスを許可するために遠隔ウェブサイトを使用する際に含まれる不都合は、悪意のある意図を有するアクターによる外部妨害である。少なくとも１つの例では、地理的制約またはコピー保護規則及び／または制約をバイパスしようとするコンピュータハッカーのような人は、デバイス１４０を許可ウェブサイト４００から完全に異なるウェブサイトへリダイレクトしようとするであろう。典型的に、許可プロセスには視覚的な面が存在しないので、このリダイレクションはユーザには明らかではない。代替ウェブサイトは、デバイス１４０を誤動作させるためにデバイス１４０に不正確な情報を与え得る。例えば、“偽”許可サイトは全てのデバイスに対して全てのデジタルメディアファイルを承認する情報を与え、それによってコンテンツのコピー保護を無効にしかねない。
【００５０】
図７Ａは、リダイレクションのような悪意のある攻撃の可能性を防ぐのを援助する本発明の実施の形態の特色を含む。コンテンツ配信システムの複数の異なる要素は暗号化または安全化されており、このようにすることによって、デバイスの別のサイトへのリダイレクションは遙かに困難にされている。
【００５１】
一例では、アクセスを取得するためには、先ずデバイス１４０上で許可ウェブサイト４００のアイデンティティを解読しなければならないようにコンテンツ３００を暗号化することができる。この場合、許可ウェブサイトも暗号化することができ、または署名または暗号化キーを用いて検査することもできる。このキーは、デジタルコンテンツ３００でデバイス１４０に供給することができ、それらのオリジナルのプログラミングの一部としてある型の全てのデバイス１４０が知ることができ、デバイスへの分離したデータダウンロードとして（特定のビデオビューワーまたはソフトウェアパッケージのダウンロードにおけるように）入手できる等である。データが許可ウェブサイト４００へ送られる前に、接触したウェブサイトが正しいウェブサイトであることを決定するために、認証プロセスを遂行することができる。更に、許可ウェブサイトから送られるどのようなデータも署名データと連結することができ、またデバイス１４０へ送られる前にハッシュすることができる。攻撃者が、それ程制限的なポリシーを有していない別の有効許可ウェブサイトからデータを置換する、またはそのようなウェブサイトへの問合わせを転送するのを阻止するために、データはＵＲＩを含むこともできる。デバイス１４０は、このＵＲＩが、許可ウェブサイト４００にアクセスするのに使用したものと一致することをチェックする。包括的に言えば、保護されたコンテンツへのアクセスの許可は、コンテンツへのアクセスが認められる前に、デバイス１４０によって先ず認証することができる。
【００５２】
本発明の別の例では、コンテンツを受信して格納するデバイスと、コンテンツをユーザに提示するデバイスとは、実際には異なるデバイスであることができる。図７Ｂに示すように、受信デバイス１４０は、例えばユーザのホームネットワーク内に位置するＤＶＲであることができる。提示デバイス７００は、セルホン、ＰＤＡ、パームトップ、ハンドヘルドコンピュータ、ラップトップコンピュータ等のようなユーザが携帯している遠隔デバイスであることができる。コンテンツは、始めにダウンロードしてＤＶＲに格納することができる。しかしながら、ユーザが現在家の中にいないにも拘わらず、彼はＤＶＲ上に格納されているコンテンツにアクセスしたいかも知れない。遠隔アクセスクライアントがインターネットを介してホームネットワーク内のデバイスと通信できるようにする現在存在している対策は、例えば放送受信機または遠隔アクセスサーバを介してである。しかしながら、このトランザクションは、従来の権利保護を使用しては困難である。ホームネットワーク上のデバイスに説明し、その後に遠隔アクセスクライアントに転送するには、多重保護スキーム及び／またはフォーマット情報が必要であろう。ＤＶＲは、提示デバイスのそれとは総合的にコンパチブルではない地理的コーディングスキームを使用することができる。このような保護スキームを支援するのに必要な大量な情報は扱いにくく、コンテンツにアクセスするという単純な要求は急速に複雑なトランザクションへ発展し得る。
【００５３】
これらの問題は、本発明を使用することによって排除される。トランザクションに含まれる全てのデバイスは、許可ウェブサイト４００にアクセスするために、コンテンツ内に含まれる情報を使用することができる。ウェブサイトは、多数の異なる型のデバイスのための規則及び／または制約情報を含む。従って、各デバイス内に同一の方法で保護スキームを実現することができ、各デバイスは、その現在の状態がコンテンツにアクセス可能か否かを決定するためにウェブサイトに接触することができる。これを図７Ｂに示す。図７Ｂにおいては、提示デバイス７００は、受信デバイス１４０からコンテンツ３００を受信する。次いで、提示デバイス７００は、コンテンツ３００に関連する規則及び／または制約を決定するために許可ウェブサイト４００にアクセスする。更に、図７Ｂは、伝送の各フェーズ中にコンテンツの伝送を保護することができる暗号化機能を含んでいる。チェーンに沿う全てのデバイスは、コンテンツに関連する情報にアクセス及び／または許可するために使用されるキーまたは署名を含むことができる。
【００５４】
許可ウェブサイト４００へのアクセスを検査及び／または入手する、またはコンテンツ情報を認証するために使用されるキーは、可変コードであることができる。時間、位置、ユーザ、またはデバイスＩＤ等に基づくフォーミュラを、許可ウェブサイト４００の認証及び／またはアクセスするためのキーをコンパイルするために使用することができる。更に、許可ウェブサイト４００上の何れかのデータを、コンテンツプロバイダ１００または中間パーティ１１０によって定期的に更新することができる。アクセス規則及び／または制約は、例えばファイルの年齢に基づいて変化させることができる。アクセスコードまたはキーも更新することができ、ある型のソフトウェアを使用するユーザ、特定サービスのメンバー等へ定期的に送ることができる。
【００５５】
VII．システムトポグラフィ
本発明の基本的システムは、前述した諸例よりも遙かに大きいスケールの事業を動作させるために使用することができる。図８は、高ボリュームデータ配信システムのレイアウト例であって、中間パーティ１１０をより詳細に示してある。
【００５６】
多くのビジネスにおいては、コンテンツプロバイダは主としてコンテンツの作成に集中することができ、従って、それらのコンテンツの配信の管理まですることを望まないかも知れない。図８のコンテンツプロバイダは、それらのコンテンツをサービスプロバイダ８００が利用できるようにする。サービスプロバイダ８００は、いろいろな型のコンテンツを特定の主題に関心を寄せるエンドユーザへ大量配信するように適合させたパッケージ、チャネル、バンドル等内に併合する能力を有することができる。これらのパッケージは、エンドデータコンシューマが直接利用できるようにすることも、または種々のサービスプロバイダ８００の提供物をエンドユーザに放送するように特殊化されているエンティティを通して配信することもできる。放送プロバイダ８１０は、サービスプロバイダ８００のコンパイルされたコンテンツを入手し、それを種々のデバイス１４０が利用できるようにする。これらのデバイスの所有者は、大量のコンパイルされたコンテンツから彼等がアクセスした特定のコンテンツを選択することができる。
【００５７】
コンテンツプロバイダ１００、サービスプロバイダ８００、放送プロバイダ８１０、及びデバイス１４０は、全て、許可ウェブサイト４００にアクセスすることができる。デジタルメディアをエンドコンシューマへ転送する各パーティは、ウェブサイト内の特定コンテンツの保護規則を構成することができる。例えば、コンテンツプロバイダはそのコンテンツがコピーできないようにすることを要求することができ、一方、サービスプロバイダはサービスを予約していなければ誰もそのコンテンツを見ることができないように決定することができる。放送プロバイダは更に、そのデータを見るための若干の地理的制限を決定することができる。これらの地理的制限は、他の放送プロバイダとの契約合意によって確立することができる。許可ウェブサイト４００及びデバイス１４０の構成に依存してユーザは、これらの要求の何れか、または全てに従うことができる。少なくとも１つの場合には、デバイス１４０は、そのデバイスが種々のプロバイダの規則及び／または制約の全てを遵守しない限り、保護されたコンテンツにアクセスすることはできない。代替として、もし若干の条件が満たされるならば、それ程重要ではない規則を破ることができるヒエラルキが存在することができる。正確な規則構造は、最終的にはトランザクション内に含まれるパーティ及びそれらの間の契約合意に依存させることができる。
【００５８】
本発明は、デジタルメディアにアクセスするための使用許可及び／または制限を、コンテンツ配信に実質的なオーバヘッドを付加することなく、世界中の何処にでも存在するデバイスへ輸送できるようにするので、従来の権利保護システムに対する改良である。このシステムは更に、多数のデバイスが、製造者、モデル、技術等には無関係に、保護されたコンテンツにアクセスすることを可能にする柔軟性を与える。本発明は、デジタル権利が侵されるのを更に防ぐためのセキュリティ機能を強化することができる効果的な、且つ効率的なシステムを維持する。更に、若干のメディアを支配する規則及び／または規制に従わないデバイスにそれらを遵守させ、それによって、メディアプロバイダがそれらのコンテンツをエンドデータコンシューマへ適切に配信するように、メディアプロバイダの能力を広げることができる。
【００５９】
以上の説明から、当業者ならば、本発明の思想及び範囲から逸脱することなく、形状及び細部に多くの変更を考案することができよう。本発明の思想及び範囲は上述した実施の形態の何れにも限定されるものではなく、特許請求の範囲によってのみ限定されるものであることを理解されたい。
【図面の簡単な説明】
【００６０】
【図１】「インターネットプロトコルを介するデジタル伝送コンテンツ保護」のための既存システムを示す図である。
【図２Ａ】本発明の少なくとも１つの実施の形態と共に使用可能なワイヤレス通信デバイスのブロック図である。
【図２Ｂ】本発明の少なくとも１つの実施の形態と共に使用可能なワイヤレス通信デバイスの機能図である。
【図２Ｃ】本発明の少なくとも１つの実施の形態と共に使用可能なワイヤレス通信デバイスの地理的位置を与える種々の方法を表す図である。
【図３】本発明の少なくとも１つの実施の形態によるデジタルコンテンツのソースと受信デバイスとの間の基本的トランザクションを示す図である。
【図４】本発明の少なくとも１つの実施の形態によるデジタルコンテンツのソース、受信デバイス、及び許可ウェブサイトの間の基本的トランザクションを示す図である。
【図５Ａ】本発明の少なくとも１つの実施の形態によるデジタルコンテンツのソース、受信デバイス、及び許可ウェブサイトの間のトランザクションの例を示す図である。
【図５Ｂ】図５Ａのトランザクション例に対応する動作フローチャートである。
【図５Ｃ】本発明の少なくとも１つの実施の形態によるデジタルコンテンツプロバイダ、受信デバイス、及び許可ウェブサイトの間のトランザクションに関連するオペレータインタフェースの例を示す図である。
【図６Ａ】本発明の少なくとも１つの実施の形態によるデジタルコンテンツのソース、受信デバイス、及び許可ウェブサイトの間のトランザクションの別の例を示す図である。
【図６Ｂ】図６Ａのトランザクション例に対応する動作フローチャートである。
【図７Ａ】本発明の少なくとも１つの実施の形態によるデジタルコンテンツのソース、受信デバイス、及び許可ウェブサイトの間のトランザクションの例にセキュリティ機能を付加した図である。
【図７Ｂ】本発明の少なくとも１つの実施の形態によるデジタルコンテンツのソース、受信デバイス、提示デバイス、及び許可ウェブサイトの間のトランザクションの例にセキュリティ機能を付加した図である。
【図８】本発明の少なくとも１つの実施の形態による配信スキームの例を示す図である。
【図１】
2009503714.tif 000003
【図２Ａ】
2009503714.tif 000004
【図２Ｂ】
2009503714.tif 000005
【図２Ｃ】
2009503714.tif 000006
【図３】
2009503714.tif 000007
【図４】
2009503714.tif 000008
【図５Ａ】
2009503714.tif 000009
【図５Ｂ】
2009503714.tif 000010
【図５Ｃ】
2009503714.tif 000011
【図６Ａ】
2009503714.tif 000012
【図６Ｂ】
2009503714.tif 000013
【図７Ａ】
2009503714.tif 000014
【図７Ｂ】
2009503714.tif 000015
【図８】
2009503714.tif 000016
【手続補正書】
【提出日】平成20年1月31日(2008.1.31)
【手続補正１】
【補正対象書類名】特許請求の範囲
【補正対象項目名】全文
【補正方法】変更
【補正の内容】
【特許請求の範囲】
【請求項１】
デジタルメディアをＵＲＩ情報に関連付けるステップと、
デバイスにおいて、上記デジタルメディアを、電子伝送を介して受信するステップと、
上記ＵＲＩ情報を使用して許可ウェブサイトと通信するステップと、
上記許可ウェブサイト上の上記デジタルメディアに関連する規則及び／または制約情報にアクセスするステップと、
もし上記デバイスが上記規則及び／または制約情報を遵守する状態にあれば、上記デジタルメディアへのアクセスを許可するステップと、
を含むことを特徴とする方法。
【請求項２】
上記デバイスは、上記デジタルメディアを、以前にそのデジタルメディアを受信して格納した別のデバイスから、電子伝送を介して受信することを特徴とする請求項１に記載の方法。
【請求項３】
上記ＵＲＩ情報は配信ソースから到来する全てのコンテンツに関して同一であり、上記配信ソースは少なくとも放送サービスを含むことを特徴とする請求項１に記載の方法。
【請求項４】
上記ＵＲＩ情報は、特定コンテンツのための識別子を含むことを特徴とする請求項１に記載の方法。
【請求項５】
上記デバイスは、上記デジタルメディアを、ワイヤードネットワークを介して受信することを特徴とする請求項１に記載の方法。
【請求項６】
上記デバイスは、上記デジタルメディアを、ワイヤレス通信を介して受信することを特徴とする請求項１に記載の方法。
【請求項７】
上記デジタルメディアは、一般放送の一部として受信されることを特徴とする請求項１に記載の方法。
【請求項８】
上記デジタルメディアは、上記デバイスからの要求に応答して受信されることを特徴とする請求項１に記載の方法。
【請求項９】
上記デジタルメディアまたは上記許可ウェブサイトの少なくとも一方は、暗号化されることを特徴とする請求項１に記載の方法。
【請求項１０】
上記デジタルメディアまたは上記許可ウェブサイトの少なくとも一方は、認証キーを含むことを特徴とする請求項１に記載の方法。
【請求項１１】
上記認証キーは、上記デジタルメディアを含む放送を通して上記デバイスに配信されることを特徴とする請求項１０に記載の方法。
【請求項１２】
上記許可ウェブサイト上に格納されている情報はデジタル署名を用いて保護されており、それに関連付けられている何等かのメタデータを含む上記デジタルメディア、または上記デバイスの少なくとも一方は認証キーを含むことを特徴とする請求項１に記載の方法。
【請求項１３】
上記規則及び／または制約情報は、上記デジタルメディアの使用を制限する地理的制約、時間的制約、識別制約、またはコピー制約の少なくとも１つを含むことを特徴とする請求項１に記載の方法。
【請求項１４】
上記地理的制約は種々の異なるフォーマットで上記許可ウェブサイト上に格納されており、全地球測位システム（ＧＰＳ）情報、無線位置情報、セルラー位置情報、ネットワーク位置情報、電話領域コード情報、国別コード情報、及び郵便番号情報の少なくとも１つを含むことを特徴とする請求項１３に記載の方法。
【請求項１５】
上記デバイスは、上記許可ウェブサイトにアクセスする時に好ましいフォーマットを指示することによって、種々の異なるフォーマットから上記地理的制約のフォーマットを選択することを特徴とする請求項１３に記載の方法。
【請求項１６】
上記許可ウェブサイト上の規則及び／または制約情報は、時間と共に変化することを特徴とする請求項１に記載の方法。
【請求項１７】
上記規則及び／または制約情報は、上記デジタルメディアの配信ソースによって上記許可ウェブサイト上に構成されていることを特徴とする請求項１に記載の方法。
【請求項１８】
付加的な規則及び／または制約情報を、中間パーティによって上記許可ウェブサイト上に構成できることを特徴とする請求項１７に記載の方法。
【請求項１９】
上記デバイスが上記規則及び／または制約情報を遵守する状態にあるか否かに関する決定を、上記デバイスによって行うことを特徴とする請求項１に記載の方法。
【請求項２０】
上記デバイスが上記規則及び／または制約情報を遵守する状態にあるか否かに関する決定を、上記許可ウェブサイトによって行うことを特徴とする請求項１に記載の方法。
【請求項２１】
上記デバイスが上記規則及び／または制約情報を遵守する状態にない時に、上記デバイスを遵守状態に置く動作を遂行させるオプションを上記デバイスのユーザに提供するステップ、
を更に含むことを特徴とする請求項１に記載の方法。
【請求項２２】
ＵＲＩ情報と関連付けられているデジタルメディアを、電子伝送を介して受信する受信ロジックと、
上記デジタルメディアに関連する規則及び／または制約情報を検索するために、上記ＵＲＩ情報を使用して許可ウェブサイトにアクセスする通信ロジックと、
もし上記デバイスが上記規則及び／または制約情報を遵守する状態にあれば、上記デジタルメディアへのアクセスを許可する制御ロジックと、
を含むことを特徴とするデバイス。
【請求項２３】
上記デバイスは、上記デジタルメディアを、以前にそのデジタルメディアを受信して格納した別のデバイスから、電子伝送を介して受信することを特徴とする請求項２２に記載のデバイス。
【請求項２４】
上記ＵＲＩ情報は配信ソースから到来する全てのコンテンツに関して同一であり、上記配信ソースは少なくとも放送サービスを含むことを特徴とする請求項２２に記載のデバイス。
【請求項２５】
上記ＵＲＩ情報は、特定コンテンツのための識別子を含むことを特徴とする請求項２２に記載のデバイス。
【請求項２６】
上記デバイスは、上記デジタルメディアを、ワイヤードネットワークを介して受信することを特徴とする請求項２２に記載のデバイス。
【請求項２７】
上記デバイスは、上記デジタルメディアを、ワイヤレス通信を介して受信することを特徴とする請求項２２に記載のデバイス。
【請求項２８】
上記デジタルメディアは、一般放送の一部として受信されることを特徴とする請求項２２に記載のデバイス。
【請求項２９】
上記デジタルメディアは、上記デバイスからの要求に応答して受信されることを特徴とする請求項２２に記載のデバイス。
【請求項３０】
上記デジタルメディアまたは上記許可ウェブサイトの少なくとも一方は、暗号化されていることを特徴とする請求項２２に記載のデバイス。
【請求項３１】
上記デジタルメディアまたは上記許可ウェブサイトの少なくとも一方は、認証キーを含むことを特徴とする請求項２２に記載のデバイス。
【請求項３２】
上記認証キーは、上記デジタルメディアを含む放送を通して上記デバイスに配信されることを特徴とする請求項３１に記載のデバイス。
【請求項３３】
上記許可ウェブサイト上に格納されている情報はデジタル署名を用いて保護されており、それに関連付けられている何等かのメタデータを含む上記デジタルメディア、または上記デバイスの少なくとも一方は認証キーを含むことを特徴とする請求項２２に記載のデバイス。
【請求項３４】
上記規則及び／または制約情報は、上記デジタルメディアの使用を制限する地理的制約、時間的制約、識別制約、またはコピー制約の少なくとも１つを含むことを特徴とする請求項２２に記載のデバイス。
【請求項３５】
上記地理的制約は種々の異なるフォーマットで上記許可ウェブサイト上に格納されており、全地球測位システム（ＧＰＳ）情報、無線位置情報、セルラー位置情報、ネットワーク位置情報、電話領域コード情報、国別コード情報、及び郵便番号情報の少なくとも１つを含むことを特徴とする請求項３４に記載のデバイス。
【請求項３６】
上記デバイスは、上記許可ウェブサイトにアクセスする時に好ましいフォーマットを指示することによって、種々の異なるフォーマットから上記地理的制約のフォーマットを選択することを特徴とする請求項３４に記載のデバイス。
【請求項３７】
上記許可ウェブサイト上の規則及び／または制約情報は、時間と共に変化することを特徴とする請求項２２に記載のデバイス。
【請求項３８】
上記規則及び／または制約情報は、上記デジタルメディアの配信ソースによって上記許可ウェブサイト上に構成されていることを特徴とする請求項２２に記載のデバイス。
【請求項３９】
付加的な規則及び／または制約情報を、中間パーティによって上記許可ウェブサイト上に構成できることを特徴とする請求項３８に記載のデバイス。
【請求項４０】
上記デバイスが上記規則及び／または制約情報を遵守する状態にあるか否かに関する決定を、上記デバイスによって行うことを特徴とする請求項２２に記載のデバイス。
【請求項４１】
上記デバイスが上記規則及び／または制約情報を遵守する状態にあるか否かに関する決定を、上記許可ウェブサイトによって行うことを特徴とする請求項２２に記載のデバイス。
【請求項４２】
上記デバイスが上記規則及び／または制約情報を遵守する状態にない時に、上記デバイスを遵守状態に置く動作を遂行させるオプションを上記デバイスのユーザに提供する制御ロジック、
を更に含むことを特徴とする請求項２２に記載のデバイス。
【請求項４３】
コンピュータプログラムプロダクトであって、コンピュータ使用可能媒体を含み、上記コンピュータ使用可能媒体は上記媒体内に埋込まれているコンピュータ可読プログラムコードを有し、上記コンピュータプログラムプロダクトは、
上記デジタルメディアをＵＲＩ情報に関連付けるためのコンピュータ可読プログラムコードと、
上記デジタルメディアを、デバイスにおいて、電子伝送を介して受信するためのコンピュータ可読プログラムコードと、
上記ＵＲＩ情報を使用して許可ウェブサイトと通信するためのコンピュータ可読プログラムコードと、
上記許可ウェブサイト上の上記デジタルメディアに関連する規則及び／または制約情報にアクセスするためのコンピュータ可読プログラムコードと、
もし上記デバイスが上記規則及び／または制約情報を遵守する状態にあれば、上記デジタルメディアへのアクセスを許可するためのコンピュータ可読プログラムコードと、
を含むことを特徴とするコンピュータプログラムプロダクト。
【請求項４４】
上記デバイスは、上記デジタルメディアを、以前にそのデジタルメディアを受信して格納した別のデバイスから、電子伝送を介して受信することを特徴とする請求項４３に記載のコンピュータプログラムプロダクト。
【請求項４５】
上記ＵＲＩ情報は配信ソースから到来する全てのコンテンツに関して同一であり、上記配信ソースは少なくとも放送サービスを含むことを特徴とする請求項４３に記載のコンピュータプログラムプロダクト。
【請求項４６】
上記ＵＲＩ情報は、特定コンテンツのための識別子を含むことを特徴とする請求項４３に記載のコンピュータプログラムプロダクト。
【請求項４７】
上記デバイスは、上記デジタルメディアを、ワイヤードネットワークを介して受信することを特徴とする請求項４３に記載のコンピュータプログラムプロダクト。
【請求項４８】
上記デバイスは、上記デジタルメディアを、ワイヤレス通信を介して受信することを特徴とする請求項４３に記載のコンピュータプログラムプロダクト。
【請求項４９】
上記デジタルメディアは、一般放送の一部として受信されることを特徴とする請求項４３に記載のコンピュータプログラムプロダクト。
【請求項５０】
上記デジタルメディアは、上記デバイスからの要求に応答して受信されることを特徴とする請求項４３に記載のコンピュータプログラムプロダクト。
【請求項５１】
上記デジタルメディアまたは上記許可ウェブサイトの少なくとも一方は、暗号化されていることを特徴とする請求項４３に記載のコンピュータプログラムプロダクト。
【請求項５２】
上記デジタルメディアまたは上記許可ウェブサイトの少なくとも一方は、認証キーを含むことを特徴とする請求項４３に記載のコンピュータプログラムプロダクト。
【請求項５３】
上記認証キーは、上記デジタルメディアを含む放送を通して上記デバイスに配信されることを特徴とする請求項５２に記載のコンピュータプログラムプロダクト。
【請求項５４】
上記許可ウェブサイト上に格納されている情報はデジタル署名を用いて保護されており、それに関連付けられている何等かのメタデータを含む上記デジタルメディア、または上記デバイスの少なくとも一方は認証キーを含むことを特徴とする請求項４３に記載のコンピュータプログラムプロダクト。
【請求項５５】
上記規則及び／または制約情報は、上記デジタルメディアの使用を制限する地理的制約、時間的制約、識別制約、またはコピー制約の少なくとも１つを含むことを特徴とする請求項４３に記載のコンピュータプログラムプロダクト。
【請求項５６】
上記地理的制約は種々の異なるフォーマットで上記許可ウェブサイト上に格納されており、全地球測位システム（ＧＰＳ）情報、無線位置情報、セルラー位置情報、ネットワーク位置情報、電話領域コード情報、国別コード情報、及び郵便番号情報の少なくとも１つを含むことを特徴とする請求項５５に記載のコンピュータプログラムプロダクト。
【請求項５７】
上記デバイスは、上記許可ウェブサイトにアクセスする時に好ましいフォーマットを指示することによって、種々の異なるフォーマットから上記地理的制約のフォーマットを選択することを特徴とする請求項５５に記載のコンピュータプログラムプロダクト。
【請求項５８】
上記許可ウェブサイト上の規則及び／または制約情報は、時間と共に変化することを特徴とする請求項４３に記載のコンピュータプログラムプロダクト。
【請求項５９】
上記規則及び／または制約情報は、上記デジタルメディアの配信ソースによって上記許可ウェブサイト上に構成されていることを特徴とする請求項４３に記載のコンピュータプログラムプロダクト。
【請求項６０】
付加的な規則及び／または制約情報を、中間パーティによって上記許可ウェブサイト上に構成できることを特徴とする請求項５９に記載のコンピュータプログラムプロダクト。
【請求項６１】
上記デバイスが上記規則及び／または制約情報を遵守する状態にあるか否かに関する決定を、上記デバイスによって行うことを特徴とする請求項４３に記載のコンピュータプログラムプロダクト。
【請求項６２】
上記デバイスが上記規則及び／または制約情報を遵守する状態にあるか否かに関する決定を、上記許可ウェブサイトによって行うことを特徴とする請求項４３に記載のコンピュータプログラムプロダクト。
【請求項６３】
上記デバイスが上記規則及び／または制約情報を遵守する状態にない時に、上記デバイスを遵守状態に置く動作を遂行させるオプションを上記デバイスのユーザに提供することを更に含むことを特徴とする請求項４３に記載のコンピュータプログラムプロダクト。
【請求項６４】
ソースノードと、
デバイスと、
許可ウェブサイトと、
を含み、
上記ソースノードは、上記デジタルメディアをＵＲＩ情報に関連付け、
上記デバイスは、上記デジタルメディアを、電子伝送を介して受信し、
上記デバイスは、上記ＵＲＩ情報を使用して上記許可ウェブサイトと通信し、上記デバイスは、上記許可ウェブサイト上の上記デジタルメディアに関する規則及び／または制約情報にアクセスし、
上記デバイスが上記許可ウェブサイトにアクセスした結果として、もし上記デバイスが上記規則及び／または制約情報を遵守する状態にあれば、上記デバイスは上記デジタルメディアにアクセスすることを許可される、
ことを特徴とするシステム。
【国際調査報告】
2009503714.tif 000017
2009503714.tif 000018